(57)【要約】【課題】  エアーガンによって発射した弾丸による衝撃を確実に吸収し、弾丸の跳ね返りによる周辺への飛散を防止し、捕獲した弾丸の回収を容易なものとする。【解決手段】  発泡スチロール樹脂製による箱状の外枠１と、外枠１内底部に配したウレタンフォームによる緩衝材２と、該緩衝材２から空隙部を介して配し、内面に短冊状の切込み部５を形成して成るウレタンフォームによる後側スクリーン３と、該後側スクリーン３から空隙部を介して配し、内面に短冊状の切込み部５を形成して成るウレタンフォームによる前側スクリーン４と、外枠１に付設した挟持バネ構造の標的保持部６によって前側スクリーン４前方に吊り状に配置される紙製印刷物による標的板７とを備えて成る。【選択図】      図１
2006336986.tif 000002
【特許請求の範囲】
【請求項１】
発泡スチロール樹脂製による箱状の外枠と、外枠内底部に配されたウレタンフォームによる緩衝材と、該緩衝材から空隙部を介して配され、内面に短冊状に切込み部を形成して成るウレタンフォームによる後側スクリーンと、該後側スクリーンから空隙部を介して配され、内面に短冊状に切込み部を形成して成るウレタンフォームによる前側スクリーンと、外枠に付設された標的保持部によって前側スクリーン前方に吊り状に配置される弾通可能な標的板とを備えて成ることを特徴とする銃玩具用標的装置。
【請求項２】
後側スクリーンと前側スクリーンとの切込み部は、互いに合致する位置に配置されていたり、あるいは互いに位相をズラして配置されていたり、あるいは両切込み部を互いに交差させるように配置されていたりして構成してある請求項１記載の銃玩具用標的装置。
【発明の詳細な説明】
【技術分野】
【０００１】
本発明は、硬質プラスチック製のいわゆるＢＢ弾を発射させるエアーガン等の銃玩具による射撃遊技用標的として用いる銃玩具用標的装置に関するものである。
【背景技術】
【０００２】
近年、硬質プラスチック製のＢＢ弾と称する弾丸をエアーガンと称する銃玩具から発射させて紙製の標的片に当て、これを突き破ることで当該標的片のどこに着弾したかが一目瞭然となるようにした標的装置が提供されている。
【０００３】
また、エアーガンの作動方式としては、例えば手動で空気ポンプを圧縮する機構、電池式モータでポンプを圧縮する機構、耐圧容器に予め高圧ガスを充填した機構等によるものがあって、これらエアーガンによる弾丸の運動エネルギーは非常に大きく、しかもそれぞれの機構に応じて運動エネルギー自体が異なるものである。このようにエアーガンによる弾丸の発射威力は凄まじく、段ボール等では軽く貫通してしまい、例えば手の甲等に当ると激痛を感じさせるほどである。また、室内で不用意に使用すれば、家具、壁等を損傷したり、あるいは家具、壁等に当った弾丸が反射して周辺に飛散したりして大変危険である。このため銃玩具メーカ側は、エアーガンの使用に際して保護メガネやフード付きヘルメット等を着用するよう安全性に充分な配慮を施すべきであると強く指導している。
【０００４】
このため、従来においては、弾丸が標的から外れても、その弾丸が跳ね返ることがないような標的装置が数多く提案されている。具体的には、特許文献１に開示されているように、標的壁面の前方に軟質シート材を標的の前方を覆うように配置させ、且つ標的と対応する軟質シート材の箇所に透孔を形成したもの、または特許文献２に開示されているように、シート状の標的の背後に空隙部を介して緩衝性の受部材を配置したもの、さらには特許文献３に開示されているように、標的の表面に粘着剤層を形成し、且つ標的の背後に衝撃吸収材層を備えたもの、そして、特許文献４に開示されているように、標的自体をシリコーンゴム発泡体で形成したもの等が存在する。
【特許文献１】特開平５−３１７５１８号公報
【特許文献２】特開平６−２２１７９８号公報
【特許文献３】実開平６−３０６９６号公報
【特許文献４】実開平６−５５０９５号公報
【発明の開示】
【発明が解決しようとする課題】
【０００５】
しかしながら、従来におけるような各種の標的装置において、特許文献１の場合には、標的壁面から反射された弾丸が軟質シート材の透孔から外部へ跳ね返されてしまう。また、特許文献２の場合には、緩衝性の受部材によって運動エネルギーの大きな弾丸による衝撃を確実に吸収することは不可能であり、このため弾丸は受部材でもって反射され、シート状の標的を突き抜けて外部へ跳ね返されてしまう。さらに、特許文献３、４の場合には、弾丸が標的にめり込んで捕獲されるのであるが、弾丸の回収が困難になる等の問題点を有していた。
【０００６】
そこで、本発明は叙上のような従来存した諸事情に鑑み創出されたもので、エアーガンによって発射された運動エネルギーの大きな弾丸による衝撃を確実に吸収することができ、当該弾丸の跳ね返りによる周辺への飛散を容易に防止できると共に、捕獲された弾丸の回収も容易に行えるようにした銃玩具用標的装置を提供することを目的とする。
【課題を解決するための手段】
【０００７】
上述した課題を解決するため、本発明にあっては、発泡スチロール樹脂製による箱状の外枠１と、外枠１内底部に配されたウレタンフォームによる緩衝材２と、該緩衝材２から空隙部Ｓを介して配され、内面に短冊状に切込み部５を形成して成るウレタンフォームによる後側スクリーン３と、該後側スクリーン３から空隙部Ｓを介して配され、内面に短冊状に切込み部５を形成して成るウレタンフォームによる前側スクリーン４と、外枠１に付設された例えばフック構造もしくは挟持バネ構造とした、標的保持部６によって前側スクリーン４前方に吊り状に配置される例えば紙製印刷物による弾通可能な標的板７とを備えて成るものである。
また、後側スクリーン３と前側スクリーン４との切込み部５は、互いに合致する位置に配置されていたり、あるいは互いに位相をズラして配置されていたり、あるいは両切込み部５を互いに交差させるように配置されていたりして構成することができる。
【０００８】
以上のように構成された本発明に係る銃玩具用標的装置にあって、エアーガンＰによって発射された運動エネルギーの大きな弾丸Ｑは、標的板７に当るとこれを突き抜けてから前側スクリーン４の切込み部５にめり込むようにして通過され、摩擦によって第１の衝撃吸収が行なわれ、さらに後側スクリーン３の切込み部５にめり込むようにして通過され、摩擦によって第２の衝撃吸収が行なわれる。
このとき、弾丸Ｑが前側スクリーン４の切込み部５にめり込むようにして通過されてから後側スクリーン３の前面で反射されても前側スクリーン４によって当該弾丸Ｑが食い止められ、後側スクリーン３と前側スクリーン４との間の空隙部Ｓで弾丸Ｑを停止させ、捕獲させる。
また、弾丸Ｑが前側スクリーン４と後側スクリーン３との切込み部５を貫通しても、後側スクリーン３の背後にある緩衝材２によって弾丸Ｑは食い止められ、後側スクリーン３と緩衝材２との間の空隙部Ｓで弾丸Ｑを停止させ、捕獲させる。
【発明の効果】
【０００９】
本発明によれば、エアーガンＰによって発射された運動エネルギーの大きな弾丸Ｑが標的板７に当ると、その弾丸Ｑによる衝撃を確実に吸収することができ、当該弾丸Ｑの跳ね返りによる周辺への飛散を容易に防止できると共に、捕獲された弾丸Ｑの回収を容易に行える。
【００１０】
すなわちこれは本発明が、発泡スチロール樹脂製による箱状の外枠１内底部に配されたウレタンフォームによる緩衝材２と、該緩衝材２から空隙部Ｓを介して配され、内面に短冊状に切込み部５を形成して成るウレタンフォームによる後側スクリーン３と、該後側スクリーン３から空隙部Ｓを介して配され、内面に短冊状に切込み部５を形成して成るウレタンフォームによる前側スクリーン４とを備えたからであり、これにより、エアーガンＰによって発射された運動エネルギーの大きな弾丸Ｑは、標的板７を突き抜けてから前側スクリーン４の切込み部５を通過中における摩擦により第１の衝撃吸収が行なわれ、さらに同様に後側スクリーン３の切込み部５を通過中における摩擦により第２の衝撃吸収が行なわれ、最終的には緩衝材２によって食い止められるため、外枠１内に入った弾丸Ｑによる衝撃を約９０％まで確実に吸収することができ、当該弾丸Ｑの跳ね返るによる周辺への飛散に伴う危険性を未然に防止することができる。
【００１１】
また、前側スクリーン４または後側スクリーン３を通過した弾丸Ｑは、それぞれの背後における空隙部Ｓにおいて停止されて捕獲されるため、当該弾丸Ｑを容易に回収することができる。
【００１２】
さらに、発泡スチロール製の外枠１は、弾丸Ｑを反発させることなく内部にめり込むようにして捕獲されるため、外枠１からの弾丸Ｑの跳ね返りによる周辺への飛散を未然に防止することができる。
【００１３】
また、後側スクリーン３と前側スクリーン４との切込み部５は、互いに合致する位置に配置されていたり、あるいは互いに位相をズラして配置されていたり、あるいは両切込み部５を互いに交差させるように配置するものとしたので、エアーガンＰによる弾丸Ｑの発射威力に対応して、切込み部５を介しての両スクリーンによる弾丸Ｑの衝撃吸収の度合いを任意に変更することができる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下、図面を参照して本発明を実施するための最良の一形態を説明すると、図において示される符号１は、本発明に係る銃玩具用標的装置を構成する例えば発泡スチロール樹脂材によって矩形箱状に形成された外枠である。この外枠１の内底部には、図１、図３に示すように、左右に対向する対称位置に段差部８が設けられ、ウレタンフォームによる厚み幅約１ｃｍ程度の矩形板状の緩衝材２が両段差部８の間に挟む込まれるようにして配置されている。この緩衝材２の厚み幅に対し、内底面から段差部８までの高さを大きくしてある。
【００１６】
また、外枠１内には、ウレタンフォームによる厚み幅約３ｃｍ程度の矩形厚板状の後側スクリーン３が外枠１内底部の両段差部８によって係架保持されており、両段差部８の間で内底部の奥まで嵌め込まれた緩衝材２に対し後側スクリーン３が任意の幅員の空隙部Ｓを介して対面する状態となるようにしてある。
【００１７】
さらに、後側スクリーン３の上側には、ウレタンフォームによる厚み幅約５ｃｍ程度の矩形厚板状の前側スクリーン４が任意の幅員の空隙部Ｓを介して後側スクリーン３に対面する状態となるように配置してある。すなわち、前側スクリーン４の例えば左右両端側面を延長させることで突片状となった脚部９を設け、外枠１内に挿入された前側スクリーン４の脚部９が後側スクリーン３の上側左右端に係止されることにより両スクリーン３，４の間に空隙部Ｓが形成されるようにしてある。
【００１８】
両スクリーン３，４の内面には、例えば直径６ｍｍの弾丸Ｑに対して約８ｍｍ程度の等間隔をもって短冊状に裁断されて成る切込み部５が形成されており、これによって弾丸Ｑの衝撃を吸収できるようにしてある。すなわち、この切込み部５を弾丸Ｑが貫通する際に、弾丸Ｑに対して摩擦力が働き、これによって弾丸Ｑ自体の運動エネルギーを減少させるようにしている。尚、切込み部は、スクリーン３，４それぞれの肉厚に対してそれぞれで平行したスリット状にすることで形成される。具体的には、スクリーン３，４それぞれの周囲枠を形成しているウレタンフォームの内部に、周囲枠の前後幅員である肉厚分に相当する幅員を有する帯状のウレタンフォームを所定長さ毎に裁断し、その裁断した短冊状のウレタンフォームを多数で重ね合わせ、重ね合わせ部分が切込み部５となるようにして周囲枠内側面に短冊状のウレタンフォーム端縁を接着することで形成する。
【００１９】
ところで、標的装置の前側スクリーン４の厚み幅が大きいと速度の速い弾丸Ｑは前方側へ強くはじき返されてしまい用をなさないものとなる。一方、前側スクリーン４をある程度まで薄くすれば弾丸Ｑは通過し、通過中の摩擦によって運動エネルギーを失い後側スクリーン３に当って落下する。
【００２０】
また、前側スクリーン４だけであれば、速度の速い弾丸Ｑは難なく前側スクリーン４を通過し、後方の緩衝材２に当って反発し、再度前側スクリーン４を通り抜けて飛散してしまうこともあり得る。そのため、本実施の形態におけるように、前側スクリーン４の背後に後側スクリーン３を設けることにより、弾丸Ｑの運動エネルギーを消耗させることで弾丸Ｑを後側スクリーン３の後方で落下させることができる。このとき、後側スクリーン３の厚み幅を増すことで強力な射撃能力を有するエアーガンＰにも対応可能となる。
【００２１】
尚、威力の弱いエアーガンＰに対応すべく切込み部５自体に間隔を設けてスリット状にすることで、両スクリーン３，４による弾丸Ｑの衝撃吸収の度合いを緩和させても良い。  
【００２２】
後側スクリーン３と前側スクリーン４との切込み部５の配置関係としては、本実施の形態では前後位置において切込み部５が互いに合致するように配置されているが、これに限らず、例えば図４（ａ）に示すように、前後位置において切込み部５が互いに位相をズラして配置されていても良い。あるいは、図４（ｂ）に示すように、前後位置において両切込み部５が互いに交差するように配置しても良い。
【００２３】
外枠１の上縁部には、例えば紙製印刷物による等の、弾丸Ｑが貫通する弾通可能な標的板７を前側スクリーン４前方に吊り状に配置させるための標的保持部６が付設されている。すなわち、図２に示すように、標的保持部６を挟持バネ構造の二股クリップ片によって形成し、この両クリップ片の間に標的７の上端部を挟み込むようにして前側スクリーン４前方に配置させるようにしてある。
【００２４】
この標的保持部６の他の例としては、図５に示すように、中央に取付孔部６Ｃを有し且つ端部を略Ｕ字状に折り曲げた掛架部６Ｄを有して成る針金によるフック６Ａを形成し、外枠１の上縁部に形成したピン挿入穴６Ｅにフック６Ａの取付孔部６Ｃを合致させてから取付ピン６Ｂをピン挿入穴に嵌め込むことでフック６Ａが外枠１の上縁部に取り付けられるものとしてある。そして、フック６ＡのＵ字折り曲げ部分に、標的板７の端部に穿設した透孔部７Ａを引っ掛けることで当該標的板７を前側スクリーン４前方に配置させるものとしてある。
【００２５】
次に、以上のように構成された最良の形態についての使用、動作の一例について説明すると、図２に示すように、先ず、外枠１上縁部の標的保持部６によって標的板７を前側スクリーン４前方に配置する。そして、エアーガンＰによって標的板７を狙って射撃する。このとき、エアーガンＰによって発射された運動エネルギーの大きな弾丸Ｑは、標的板７に当るとこれを突き抜け、前側スクリーン４の切込み部５にめり込むようにして通過し、摩擦によって第１の衝撃吸収が行なわれる。さらに、弾丸Ｑは後側スクリーン３の切込み部５にめり込むようにして通過し、摩擦によって第２の衝撃吸収が行なわれる。
【００２６】
エアーガンＰによる弾丸Ｑの発射威力が弱いときには、弾丸Ｑは前側スクリーン４の切込み部５にめり込むようにして通過した際に、そこで運動エネルギーが殆ど消耗されてしまうため、弾丸Ｑは前側スクリーン４を貫通した後には後側スクリーン３の前面で食い止められ、これによって弾丸Ｑは後側スクリーン３と前側スクリーン４との間の空隙部Ｓで落下する。
【００２７】
一方、エアーガンＰによる弾丸Ｑの発射威力が強いときには、弾丸Ｑは前側スクリーン４の切込み部５にめり込むようにして通過し、摩擦によって第１の衝撃吸収が行なわれ、さらに後側スクリーン３の切込み部５にめり込むようにして通過し、摩擦によって第２の衝撃吸収が行なわれる。そして最終的には弾丸Ｑは後側スクリーン３背後の緩衝材２によって食い止められ、後側スクリーン３と緩衝材２との間の空隙部Ｓで落下する。
【００２８】
射撃終了後には、外枠１から標的７を取り外し、さらに外枠１内から両スクリーン３，４を取り外すことで、空隙部Ｓ内に停止されることで捕獲収容されている弾丸Ｑを回収すれば良い。
【図面の簡単な説明】
【００２９】
【図１】本発明を実施するための最良の形態を示す標的装置の分解斜視図である。
【図２】同じく標的装置の使用状態を示す斜視図である。
【図３】図２中におけるＸ−Ｘ断面図である。
【図４】両スリット相互間の切込み部の配置例を示すもので、（ａ）は両切込み部を互いに位相をズラして配置した場合の一部切欠正面図、（ｂ）は両切込み部を互いに交差させるように配置した場合の一部切欠正面図である。
【図５】標的保持部の他例を示す一部切欠分解斜視図である。
【符号の説明】
【００３０】
Ｐ…エアーガン                          Ｑ…弾丸
Ｓ…空隙部
１…外枠                                ２…緩衝材
３…後側スクリーン                      ４…前側スクリーン
５…切込み部                            ６…標的保持部
６Ａ…フック                            ６Ｂ…取付ピン
６Ｃ…取付孔部                          ６Ｄ…掛架部
６Ｅ…ピン挿入穴
７…標的板                              ７Ａ…透孔部
８…段差部                              ９…脚部
【図１】
2006336986.tif 000003
【図２】
2006336986.tif 000004
【図３】
2006336986.tif 000005
【図４】
2006336986.tif 000006
【図５】
2006336986.tif 000007